(57)【要約】【課題】  軽量でたわみのない透過スクリーンとするためのスクリーン枠構造を有する透過スクリーンの提供【解決手段】  四辺形のスクリーン膜１と、４本のＬ字形状のスクリーン枠２と、スクリーン膜１を挟みこみ固定する４本のスクリーン取付板３と、角柱状軽量金属の４辺を溶着しスクリーンの外形寸法に形成された枠本体フレーム７と、辺の両端が枠本体フレーム７の上面寸方より短く中央部が上辺寸法より長い円弧状に湾曲した１辺を持つＬ字材からなる４本のフレーム押出し部材５とから構成し、スクリーン膜の張力により中央が内側に撓むスクリーン枠を枠本体フレームの撓みで相殺しスクリーンを正四辺形に張設することを特徴とする【選択図】  図１
0003138080.tif 000002
【実用新案登録請求の範囲】
【請求項１】
四辺形のスクリーン膜と、その四辺端部を固定する４本のＬアングルのスクリーン枠と、該スクリーン枠のＬアングル外側面にスクリーン膜を挟みこみ固定する４本のスクリーン取付板と、アルミ平角パイプの４辺を溶着しスクリーンの外形寸法に形成された枠本体フレームと、辺の両端が前記枠本体フレームの上辺寸法より短く中央部が上辺寸法より長い円弧状に湾曲した１辺を持つＬアングル材からなる４本のフレーム押出し部材とから構成し、スクリーン膜を挟持したスクリーン枠の辺を外側にし他方のＬアングル底辺を枠本体フレームの上部に外方向に向けて摺動可能に搭載し、搭載されたスクリーン枠のＬ字底辺を挟むようにフレーム押出し部材の湾曲した辺を逆Ｌ字状に載せ、フレーム押出し部材の一方の辺を一定間隔ごとに枠本体フレームの内側壁面に押出し螺子で取付け、該押出し螺子を締めることによりスクリーン枠中央部を中心に枠本体フレーム中央部より外側に押し出し、スクリーン膜の張力により中央が内側に撓むスクリーン枠を枠本体フレームの撓みで相殺しスクリーンを正四辺形に張設することを特徴とする透過スクリーン。
【考案の詳細な説明】
【技術分野】
【０００１】
本考案は、照明器具、内部照明看板、リア式プロジェクタに用いる透過スクリーンに関する。
【背景技術】
【０００２】
従来、照明器具、内部照明看板、リア式プロジェクタに用いる透過スクリーンのパネル枠は、膜体を引っ張りながら枠に張り込む必要があるが、この際、スクリーンが円形であればフレーム枠に対して均一に膜体の張力を受けるが、矩形（四角、長方形）のフレーム枠の場合には、枠の角と、辺では膜体の張力に対する抗力に差があるため、辺部分にたわみが生じる問題があった。
【０００３】
従来このたわみを防止するため、フレーム枠材を剛性の高い材料とし、又は、たわむ部分のフレームを２重に設けることで抗力を高めていた。このため、剛性の高い材料ではフレーム枠の重量の増加し、フレームの追加では枠の幅が広くなり透過スクリーンに枠の影が発生する問題があった。
【０００４】
特許文献１は、プロジェクタで投射する映像のためのスクリーンにおいてシート状部材を弛みなく張設するためのスクリーン張設構造に関する考案である。しかし、透過スクリーンには適用出来ないフレームの構造であった。また、軽量化が難しいものであった。
【０００５】
【特許文献１】実用新案登録第３０８６７２２号公報（第２、３頁、第１図）
【考案の開示】
【考案が解決しようとする課題】
【０００６】
本考案は、前述の問題に鑑みてなされたもので、軽量でたわみのない透過スクリーンとするためのスクリーン枠構造を有する透過スクリーンの提供を課題とする。
【課題を解決するための手段】
【０００７】
本考案の透過スクリーンは、四辺形のスクリーン膜と、その四辺端部を固定する４本のＬアングルのスクリーン枠と、該スクリーン枠のＬアングル外側面にスクリーン膜を挟みこみ固定する４本のスクリーン取付板と、アルミ平角パイプの４辺を溶着しスクリーンの外形寸法に形成された枠本体フレームと、辺の両端が前記枠本体フレームの上辺寸法より短く中央部が上辺寸法より長い円弧状に湾曲した１辺を持つＬアングル材からなる４本のフレーム押出し部材とから構成し、スクリーン膜を挟持したスクリーン枠の辺を外側にし他方のＬアングル底辺を枠本体フレームの上部に外方向に向けて摺動可能に搭載し、搭載されたスクリーン枠のＬ字底辺を挟むようにフレーム押出し部材の湾曲した辺を逆Ｌ字状に載せ、フレーム押出し部材の一方の辺を一定間隔ごとに枠本体フレームの内側壁面に押出し螺子で取付け、該押出し螺子を締めることによりスクリーン枠中央部を中心に枠本体フレーム中央部より外側に押し出し、スクリーン膜の張力により中央が内側に撓むスクリーン枠を枠本体フレームの撓みで相殺しスクリーンを正四辺形に張設することを特徴とする。
【考案の効果】
【０００８】
本考案によれば、フレーム枠の角と辺の剛性の違いを枠本体フレームの撓みの反力で吸収するため、小型軽量でありながら、大型画面としても、撓みのない透過スクリーンを提供することができる。
【考案を実施するための最良の形態】
【０００９】
以下本考案の透過スクリーンの実施の形態を図面を参照して詳細に説明する。
【００１０】
図１は、本考案の透過スクリーンのフレーム部を示す断面図で、（ａ）はスクリーン膜セット時の断面図、（ｂ）は張設時の断面図である。
【００１１】
まず、図１（ａ）に基づき本考案の透過スクリーンの構成部材を説明する。四辺形のスクリーン膜１と、その四辺端部を固定する４本のＬアングルのスクリーン枠２と、該スクリーン枠２のＬ字外側面にスクリーン膜１を挟みこみ固定する４本のスクリーン取付板３と、アルミ平角パイプの４辺を溶着しスクリーンの外形寸法に形成された枠本体フレーム７と、辺の両端が枠本体フレーム７の上面寸方より短く中央部が上辺寸法より長い円弧状に湾曲した１辺を持つＬアングル材からなる４本のフレーム押出し部材５とから構成されている。
【００１２】
スクリーン枠２は、所望のスクリーン膜の縦横の長さと等しいそれぞれ２本のＬアルミアングルで、スクリーン膜１を挟む一辺は、辺の長さに応じて等間隔で螺子孔２ａを複数個設け、スクリーン取付板３に挟まれたスクリーン膜１を取付螺子４で挟持固定する。
【００１３】
スクリーン枠２のＬアングルの一方の辺には、枠本体フレーム７と連結する連結孔２ｂを辺の長さに応じて等間隔で複数個設ける。この連結孔２ｂは、枠本体フレーム７にワッシャー８ａをはさみ枠止めリベット８で固定したとき、外方向へ摺動可能とするため小判孔としている。
【００１４】
スクリーン取付板３は、スクリーン枠２と同様に、スクリーン膜の縦寸法、横寸法の長さで、辺の長さに応じて等間隔で複数個の取付孔３ａを設ける。取付孔３ａは、皿螺子に合わせて座繰りしておく。
【００１５】
枠本体フレーム７は、アルミ引き抜き材など平角パイプの四辺を溶接接続し、スクリーンの縦横の大きさに形成した枠体で、上面には辺の長さに応じて等間隔で複数個の取付孔７ａを設け、枠の内側壁面には押出し螺子６を螺合する螺子孔７ｂを設ける。
【００１６】
フレーム押出し部材５は、アルミなどの軽金属のＬアングルで、その一辺５ｂは、両端が前記枠本体フレーム７の上辺寸法よりスクリーン枠２の部材厚分短く、辺の中央部が上辺寸法より長い円弧状に湾曲した辺とし、枠本体フレーム７とスクリーン枠２との連結孔２ｂの配置位置には枠止めリベット８及びワッシャー８ａから逃げて押し出すための切欠き溝５ｄを設ける。また、一方の辺５ａには枠本体フレーム７に押出し螺子６で取り付ける孔５ｃを設けてある。
【００１７】
図２は、フレーム押出し部材を示す斜視図である。図２に示す長さＬ１は、それぞれ枠本体フレーム７の枠の縦及び横の内部長さとし、辺５ｂの両端の長さＬ２は、枠本体フレーム７の上辺寸法の長さからスクリーン枠２の部材の厚みを引いた長さとし、円弧状に湾曲した中央の長さＬ３は、枠本体フレーム７の上辺寸法にフレームの撓み量を加えた長さとする。なお、Ｌ３はスクリーン膜１の剛性及び、フレームの大きさに応じて調整して決める。
【００１８】
図１（ｂ）は、張設時の断面図で、透明スクリーンの中央部をあらわす。図に示すように、押出し螺子６が枠本体フレーム７の螺子孔７ｂに螺合され、フレーム押出し部材５の円弧状の辺５ｂの先端がスクリーン枠２を押し出し、スクリーン膜１の張力による反作用で枠本体フレーム７の中央部が内側に撓んでいる状態を示す。
【００１９】
図３は、透明スクリーンのセット時と、張設時のフレームの撓みの変化を示す説明図で、（ａ）はセット時の表面視、（ｂ）はセット時の裏面視、（ｄ）は張設時の表面視、（ｅ）は張設時の裏面視である。
【００２０】
図３（ａ）はセット時の表面視に示すように、透明スクリーン１００の表面は、スクリーン膜１の張力によりスクリーン取付板３の中央部が内側に撓んだ状態となっている。
【００２１】
この状態では、枠本体フレーム７にはスクリーン膜１の張力がかかっていないため、枠本体フレーム７の各辺は直線状となっている。（図において破線は枠本体フレーム７の内側を示している）
【００２２】
図３（ａ）の裏面を（ｂ）に示している。（ｂ）に示すように、この段階では押出し螺子６が締められておらず、枠本体フレーム７とフレーム押出し部材５は離されて取り付けられている。
【００２３】
図３（ｃ）は、押出し螺子６が締められフレーム押出し部材５によりスクリーン枠２（図示せず）及びスクリーン取付板３が押し出され透明スクリーン１００の外形が四辺形に張られた状態を示す。このとき、破線で示す枠本体フレーム７はスクリーン膜１の張力で中央が内側に撓んだ状態となる。
【００２４】
図３（ｅ）は、（ｃ）の状態の裏面を示し、押出し螺子６が締められてフレーム押出し部材５が枠本体フレーム７に接し、フレーム押出し部材５の円弧状の辺５ｂに押し出されたスクリーン枠２（図示せず）及びスクリーン取付板３が四辺形に張られている状態を示す。枠本体フレーム７及びフレーム押出し部材５は内側に撓み、スクリーン膜１の張力と釣り合いスクリーンを正四辺形に保っている。
【００２５】
すなわち、本考案によれば、フレーム枠の角と辺の剛性の違いを枠本体フレームの撓みの反力で吸収して、撓みのないスクリーンを提供することができる。
【図面の簡単な説明】
【００２６】
【図１】本考案の透過スクリーンのフレーム部を示す断面図で、（ａ）はスクリーン膜セット時の断面図、（ｂ）は張設時の断面図である。
【図２】フレーム押出し部材を示す斜視図である。
【図３】透明スクリーンのセット時と、張設時のフレームの撓みの変化を示す説明図で、（ａ）はセット時の表面視、（ｂ）はセット時の裏面視、（ｄ）は張設時の表面視、（ｅ）は張設時の裏面視である。
【符号の説明】
【００２７】
１    スクリーン膜
２    スクリーン枠
３    スクリーン取付板
３ａ  取付孔
４    取付螺子
５    フレーム押出し部材
５ａ  辺
５ｂ  辺（円弧状の辺）
５ｃ  孔
５ｄ  切欠き溝
６    押出し螺子
７    枠本体フレーム
７ａ  取付孔
７ｂ  螺子孔
８    枠止めリベット
８ａ  ワッシャー
１００    透明スクリーン
【図１】
0003138080.tif 000003
【図２】
0003138080.tif 000004
【図３】
0003138080.tif 000005